(57)【要約】  本発明は、真空槽内においてフィルムを搬送しながらフィルム上に均一な膜厚の有機化合物膜を高い成膜速度で形成する技術を提供するものである。  真空槽２内で、原反ロール４１から繰り出されたフィルム１０を中央ローラ３と接触しつつ搬送し、フィルム１０上に有機化合物膜を形成する。真空槽２内に設けられた成膜室６内に配置され、有機化合物モノマーの蒸気を放出して中央ローラ３上のフィルム１０に吹き付ける蒸気放出部８２を有する蒸気放出装置８と、中央ローラ３上に形成された有機化合物モノマー層に対してエネルギー線を照射して有機化合物モノマー層を硬化させるエネルギー線射出装置９とを有する。蒸気放出装置８及び成膜室６が、独立して制御可能な第５及び第３真空排気装置８０、６０にそれぞれ接続され、蒸気放出装置８内の圧力が成膜室６内の圧力より大きく、かつ、蒸気放出装置８内の圧力と成膜室６内の圧力との差が一定になるようにする。
2014002773.tif 000002
【特許請求の範囲】
【請求項１】
真空槽内において、原反ロールから繰り出されたフィルムを中央ローラと接触しつつ搬送し、当該フィルム上において有機化合物膜を形成する成膜装置であって、
前記真空槽内に設けられた成膜室内に配置され、有機化合物の蒸気を放出して前記中央ローラ上のフィルムに吹き付ける蒸気放出部を有する蒸気放出装置と、
前記中央ローラ上に形成された有機化合物層に対してエネルギー線を照射して当該有機化合物層を硬化させるエネルギー線射出装置とを有し、
前記蒸気放出装置及び前記成膜室が、独立して制御可能な真空排気装置にそれぞれ接続されるとともに、
前記蒸気放出装置内の圧力が前記成膜室内の圧力より大きく、かつ、前記蒸気放出装置内の圧力と前記成膜室内の圧力との差が一定になるように真空排気する成膜装置。
【請求項２】
所定温度に制御された希ガスの流量を制御して前記蒸気放出装置に供給するように構成されている請求項１記載の成膜装置。
【請求項３】
前記真空槽内に、前記エネルギー線射出装置が配置される硬化室と、前記硬化室及び前記成膜室に連通されたバッファ室とが設けられ、前記硬化室及び前記バッファ室が、独立して制御可能な真空排気装置にそれぞれ接続されている請求項１又は２のいずれか１項記載の成膜装置。 
【発明の詳細な説明】
【技術分野】
【０００１】
本発明は、真空中でフィルム上に有機化合物膜を形成するための成膜装置の技術に関する。
【背景技術】
【０００２】
近年、電子部品等をフィルム上に効率良く形成したいという要望があり、このため、真空槽内において長尺のフィルムを搬送して当該フィルム上に高分子有機化合物からなる膜を形成する技術が提案されている（例えば特許文献１参照）。【０００３】
従来、フィルム上に高分子有機化合物膜を形成する場合には、例えば低分子の有機化合物モノマー等をフィルム上に塗布して有機化合物層を形成し、この有機化合物層に対して熱を加えたり、エネルギー線を照射することによって硬化させ、高分子有機化合物膜を形成することが行われている。【０００４】
しかし、真空槽内においてこのような方法によってフィルム上に高分子有機化合物膜を形成する場合には種々の課題がある。
すなわち、真空槽内においてフィルム上に低分子の有機化合物のモノマー等の膜を均一な膜厚で形成することは困難であり、特にフィルムを搬送しながらフィルム上に均一な膜厚の有機化合物膜を高い成膜速度で形成することは非常に困難である。
【先行技術文献】
【特許文献】
【０００５】
【特許文献１】特許第３５０２２６１号公報
【発明の開示】
【発明が解決しようとする課題】
【０００６】
本発明は、このような従来の技術の課題を考慮してなされたもので、その目的とするところは、真空槽内においてフィルムを搬送しながらフィルム上に均一な膜厚の有機化合物膜を高い成膜速度で形成する技術を提供することにある。
【課題を解決するための手段】
【０００７】
上記目的を達成するためになされた本発明は、真空槽内において、原反ロールから繰り出されたフィルムを中央ローラと接触しつつ搬送し、当該フィルム上において有機化合物膜を形成する成膜装置であって、前記真空槽内に設けられた成膜室内に配置され、有機化合物の蒸気を放出して前記中央ローラ上のフィルムに吹き付ける蒸気放出部を有する蒸気放出装置と、前記中央ローラ上に形成された有機化合物層に対してエネルギー線を照射して当該有機化合物層を硬化させるエネルギー線射出装置とを有し、前記蒸気放出装置及び前記成膜室が、独立して制御可能な真空排気装置にそれぞれ接続されるとともに、前記蒸気放出装置内の圧力が前記成膜室内の圧力より大きく、かつ、前記蒸気放出装置内の圧力と前記成膜室内の圧力との差が一定になるように真空排気するものである。
本発明では、所定温度に制御された希ガスの流量を制御して前記蒸気放出装置に供給するように構成されている場合にも効果的である。
本発明では、前記真空槽内に、前記エネルギー線射出装置が配置される硬化室と、前記硬化室及び前記成膜室に連通されたバッファ室とが設けられ、前記硬化室及び前記バッファ室が、独立して制御可能な真空排気装置にそれぞれ接続されている場合にも効果的である。【０００８】
本発明にあっては、蒸気放出装置の蒸気放出部から有機化合物の蒸気を放出して中央ローラ上のフィルムに吹き付ける際に、蒸気放出装置内の圧力が成膜室内の圧力より大きく、かつ、蒸気放出装置内の圧力と成膜室内の圧力との差が一定になるように真空排気することから、中央ローラによって搬送されるフィルム上において膜厚の均一な有機化合物層を形成することができる。
その結果、本発明によれば、膜厚が均一に形成された有機化合物層に対してエネルギー線を照射して重合させ硬化させることによって、均一な膜厚の高分子有機化合膜を形成することができる。
本発明において、所定温度に制御された希ガスの流量を制御して蒸気放出装置に供給するように構成されている場合には、容易に蒸気放出装置内の圧力を成膜室内の圧力より大きくすることができるので、蒸気放出装置と成膜室の圧力差を大きくして成膜速度を向上させることができる。
また、本発明において、真空槽内に、エネルギー線射出装置が配置される硬化室と、硬化室及び成膜室に連通されたバッファ室とが設けられ、硬化室及びバッファ室が、独立して制御可能な真空排気装置にそれぞれ接続されている場合には、蒸気放出装置及び成膜室間のみならず、成膜室、バッファ室、硬化室間において圧力差の大きい差動排気を行うことができるので、各室の圧力差をより大きくして成膜速度を向上させることができる。
【発明の効果】
【０００９】
本発明によれば、真空槽内において、中央ローラによって搬送されるフィルム上において、均一な膜厚の有機化合物膜を形成することができる。
【図面の簡単な説明】
【００１０】
【図１】（ａ）：本発明に係る成膜装置の実施の形態の内部構成を示す全体図（ｂ）：同成膜装置の要部構成図
【図２】（ａ）：同蒸気放出装置の蒸気放出部を示す正面図（ｂ）：同蒸気放出装置の蒸気放出部を示す側面図
【図３】（ａ）（ｂ）：フィルム上に有機化合物層を形成する工程を模式的に示す説明図
【発明を実施するための形態】
【００１１】
以下、本発明の好ましい実施の形態を図面を参照して詳細に説明する。
図１（ａ）は、本発明に係る成膜装置の実施の形態の内部構成を示す全体図、図１（ｂ）は、同成膜装置の要部構成図である。
また、図２（ａ）（ｂ）は、同蒸気放出装置の蒸気放出部を示すもので、図２（ａ）は正面図、図２（ｂ）は側面図である。
【００１２】
図１（ａ）に示すように、本実施の形態の成膜装置１は、真空槽２内においてフィルム１０上に膜を形成するものである。
真空槽２の内部の中央部分近傍には、フィルム１０と接触して搬送するための円柱形状の中央ローラ３が設けられ、この中央ローラ３の周囲に、フィルム繰出巻取室４、バッファ室５、成膜室６、硬化室７が設けられている。
【００１３】
本実施の形態のフィルム繰出巻取室４は、中央ローラ３の近傍に設けられた多段に折り曲げた板形状の第１の隔壁１１と、中央ローラ３に対して真空槽２の一方側（ここでは図中下方側）の内壁とで囲まれた空間によって形成されている。
【００１４】
ここで、第１の隔壁１１は、中央ローラ３の近傍の部分が、中央ローラ３の側面及び両底面に近接するように形成され、これにより第１の隔壁１１と中央ローラ３の側面との間の隙間にフィルム１０が通過できるように構成されている。
【００１５】
フィルム繰出巻取室４内には、成膜対象物であるフィルム１０の原反ロール４１が配置され、この原反ロール４１から繰り出されたフィルム１０が、中央ローラ３の表面に密着するように方向転換して引き回されて、フィルム繰出巻取室４内に設けられた巻取ローラ４２によって巻き取られるように構成されている。
【００１６】
また、フィルム繰出巻取室４内には、成膜後のフィルム１０に対して除電を行う除電装置４３が設けられている。この除電装置４３は、成膜後のフィルム１０が静電気により中央ローラ３に貼り付くことを防止するためのものである。
【００１７】
一方、バッファ室５は、第１の隔壁１１と、中央ローラ３の近傍において第１の隔壁１１と対向するように設けられた多段折曲板形状の第２の隔壁１２と、真空槽２の内壁（ここでは図中左右側の内壁）とで囲まれた空間によって形成されている。
【００１８】
ここで、第２の隔壁１２は、中央ローラ３の近傍の部分が、中央ローラ３の側面及び両底面に近接するように形成され、これにより第２の隔壁１２と中央ローラ３の側面との間の隙間にフィルム１０が通過できるように構成されている。
【００１９】
さらにまた、成膜室６は、バッファ室５の内部に設けられた多段に折り曲げた形状の第３の隔壁１３と、真空槽２の一方側（ここでは図中左側）の内壁とで囲まれた空間によって形成されている。
【００２０】
ここで、第３の隔壁１３は、中央ローラ３の近傍の部分が、中央ローラ３の側面及び両底面に近接するように形成され、これにより第３の隔壁１３と中央ローラ３の側面との間の隙間にフィルム１０が通過できるように構成されている。
そして、成膜室６内には、後述する蒸気放出装置８の蒸気放出部８２が配置されている。
【００２１】
一方、硬化室７は、第２の隔壁１２と、中央ローラ３に対して真空槽２の他方側（ここでは図中上方側）の内壁とで囲まれた空間によって形成されている。
ここで、真空槽２の上部で硬化室７と連通する部分には、中央ローラ３方向にエネルギー線を射出するエネルギー線射出装置９が設けられている。
【００２２】
上述したフィルム繰出巻取室４、バッファ室５、成膜室６、硬化室７は、独立して制御可能な第１〜第４真空排気装置４０、５０、６０、７０にそれぞれ接続され、上述した第１〜第３の隔壁１１〜１３と中央ローラ３との間の隙間を介して、フィルム繰出巻取室４とバッファ室５、バッファ室５と成膜室６、バッファ室５と硬化室７との間で差動排気ができるように構成されている。
【００２３】
図１（ｂ）に示すように、本実施の形態の蒸気放出装置８は、液体状の有機化合物モノマー３３を気化する気化部８１を有し、この気化部８１は、成膜室６の第３真空排気装置６０に対して独立して制御可能な第５真空排気装置８０に接続されている。
【００２４】
本実施の形態の場合、気化部８１には、例えば円筒形状の蒸気放出部８２がベローズを有する接続部８１ａを介して連通接続され、この蒸気放出部８２が真空槽２の成膜室６内に配置されている。
【００２５】
一方、気化部８１には、気化部８１内の圧力を測定する圧力計２０が設けられ、この圧力計２０は、コンピュータ等を有する制御部１８に対し、測定した圧力情報を送出するように構成されている（図１参照）。
【００２６】
この制御部１８は、成膜室６内の圧力を測定する成膜圧力計２１に電気的に接続され、成膜圧力計２１において測定された成膜室６内の圧力情報を受け取るように構成されている。
また、制御部１８は、成膜室６を真空排気する第３真空排気装置６０に電気的に接続され、成膜室６内に設けられた成膜圧力計２１において得られた結果に基づいて成膜室６内の圧力を制御するように構成されている。
【００２７】
本実施の形態では、気化部８１の筐体内部に例えば媒体循環路（図示せず）が設けられ、この媒体循環路と第１温度調整手段１９との間において所定温度に制御された媒体を循環させるように構成されている。
【００２８】
また、蒸気放出部８２の筐体内部に例えば媒体循環路（図示せず）が設けられ、この媒体循環路と第２温度調整手段８３との間において所定温度に制御された媒体を循環させるように構成されている。
【００２９】
一方、気化部８１の外部には、モノマー供給源３０が設けられ、このモノマー供給源３０から液体状の有機化合物モノマー（以下、適宜「有機化合物モノマー」という。）３３を、配管３１及び有機化合物導入部２２を介して気化部８１内に導入するように構成されている。
【００３０】
本実施の形態のモノマー供給源３０は、容器３２内に収容された液体状の有機化合物モノマー３３内に不活性ガスのような希ガス３４を送り込み、その圧力によって配管３１を介して有機化合物モノマー３３を有機化合物導入部２２に供給するように構成されている。
本実施の形態の有機化合物導入部２２は、気化部８１の上部に設けられ、液体状の有機化合物モノマー３３を分散させ霧状にして噴霧する分散器２２ａを有している。
【００３１】
一方、気化部８１内で分散器２２ａの下方には、導入された有機化合物モノマー３３を搬送しつつ気化する気化器２３が設けられている。
この気化器２３は、例えば平板形状に形成された複数（本実施の形態では四つ）の第１〜第４気化部材２４Ａ、２４Ｂ、２４Ｃ、２４Ｄを有している。
【００３２】
本実施の形態の第１〜第４気化部材２４Ａ〜２４Ｄは、斜め下方向に並べて配列され、それぞれ一方側に傾斜させることによって、有機化合物モノマー３３を上方から下方のものへ受け渡すように配置構成されている。
そして、第１〜第４気化部材２４Ａ〜２４Ｄは、傾斜角度をそれぞれ変更調整できるように構成されている。
【００３３】
これら第１〜第４気化部材２４Ａ〜２４Ｄは、それぞれ内部に媒体循環路（図示せず）が設けられ、独立して制御可能な媒体循環方式による第３〜第６温度調整手段２６、２７、２８、２９にそれぞれ接続されている。
【００３４】
本実施の形態では、最上段の第１気化部材２４Ａから下方の第２気化部材２４Ｂに有機化合物モノマー３３を受け渡し、この第２気化部材２４Ｂから下方の第３気化部材２４Ｃに有機化合物モノマー３３を受け渡し、さらに、この第３気化部材２４Ｃから下方の第４気化部材２４Ｄに有機化合物モノマー３３を受け渡す。
そして、このような構成を有する気化部８１では、有機化合物モノマー３３を搬送及び受け渡す際に有機化合物モノマー３３を加熱して気化させるようになっている。
【００３５】
一方、気化部８１の外部には、希ガス供給源３５が設けられ、この希ガス供給源３５から送られた不活性ガスのような希ガスをマスフローコントローラ３６を介して気化部８１内に導入するように構成されている。
【００３６】
本実施の形態の場合、このマスフローコントローラ３６は制御部１８に接続され、圧力計２０及び成膜圧力計２１において得られた結果に基づいて希ガスの導入量を制御するようになっている。
【００３７】
図１（ｂ）並びに図２（ａ）（ｂ）に示すように、円筒形状に形成された本実施の形態の蒸気放出装置８の蒸気放出部８２は、気化部８１から有機化合物モノマーの蒸気３７が送られるもので、内部の圧力が気化部８１内の圧力と同一となるように構成されている。
【００３８】
また、蒸気放出部８２は、その長手方向に沿って直線状に形成された放出部８４を有し、この放出部８４に直線スリット状の蒸気放出口８５が設けられている。ここで、蒸気放出部８２は、その回転軸線Ｏ1が中央ローラ３の回転軸線Ｏ2と平行になるように配置されるとともに、蒸気放出口８５が、これら回転軸線Ｏ1，Ｏ2と平行に、中央ローラ３上のフィルム１０に対し近接して対向配置されている。
【００３９】
また、蒸気放出口８５は、中央ローラ３（フィルム１０）の幅より若干幅狭に形成され、フィルム１０表面に対して幅方向に直線的に有機化合物モノマーの蒸気３７を吹き付けるように構成されている。
【００４０】
このような構成を有する本実施の形態において、真空槽２内においてフィルム１０上に高分子有機化合物膜を形成する場合には、第５真空排気装置８０を動作させて蒸気放出装置８の気化部８１内の圧力を所定の値になるように真空排気するとともに、第１〜第４真空排気装置４０、５０、６０、７０を動作させてフィルム繰出巻取室４、バッファ室５、成膜室６、硬化室７の圧力をそれぞれ所定の値になるように真空排気する。
【００４１】
この場合、硬化室７の圧力よりバッファ室５の圧力が大きく、かつ、バッファ室５の圧力より成膜室６の圧力が大きくなるように第２〜第４真空排気装置５０〜７０をそれぞれ動作させて差動排気を行う。
また、バッファ室５の圧力よりフィルム繰出巻取室４の圧力が大きくなるように第１及び第２真空排気装置４０、５０をそれぞれ動作させて差動排気を行う。
【００４２】
一方、蒸気放出装置８においては、気化部８１内の第１〜第４気化部材２４Ａ〜２４Ｄの傾斜角度を所定の角度に設定するとともに、第３〜第６温度調整手段２６〜２９を動作させて第１〜第４気化部材２４Ａ〜２４Ｄをそれぞれ所定の温度に温度制御する。
また、第２温度調整手段８３を動作させて蒸気放出部８２を所定の温度に温度制御する。
【００４３】
この状態で、希ガス供給源３５からマスフローコントローラ３６を介して所定量の希ガスを気化部８１内に導入するとともに、モノマー供給源３０から配管３１及び有機化合物導入部２２を介して所定量の液体状の有機化合物モノマー３３を気化部８１内に導入する。
【００４４】
これにより、気化部８１の上部に設けられた分散器２２ａによって霧状の有機化合物モノマー３３が上方から上段の第１気化部材２４Ａに供給される。
供給された有機化合物モノマー３３は、第１気化部材２４Ａから第２気化部材２４Ｂに受け渡され、第２気化部材２４Ｂから第３気化部材２４Ｃに受け渡され、さらに、第３気化部材２４Ｃから第４気化部材２４Ｄに受け渡され、この搬送及び受け渡しの際に有機化合物モノマー３３が加熱され気化される。
【００４５】
気化された有機化合物モノマー３３は、蒸気放出部８２に送られて蒸気放出部８２の蒸気放出口８５から噴出され、図３（ａ）に示すように、中央ローラ３に接触して搬送されるフィルム１０に対して有機化合物モノマーの蒸気３７が吹き付けられてフィルム１０上に有機化合物モノマー層３８が形成される。
【００４６】
本実施の形態においては、有機化合物モノマーの蒸気３７を吹き付ける際に、蒸気放出装置８（気化部８１及び蒸気放出部８２）内の圧力が成膜室６内の圧力より大きく、かつ、蒸気放出装置８内の圧力と成膜室６内の圧力との差が一定になるように真空排気する。
【００４７】
具体的には、制御部１８からの命令により、成膜圧力計２１において得られた結果に基づいて第３真空排気装置６０を動作させて成膜室６内の圧力を所定の値に制御するとともに、圧力計２０において得られた結果に基づいてマスフローコントローラ３６を動作させて気化部８１に導入する希ガスの導入量を制御して気化部８１の圧力を所定の値に制御する。
【００４８】
その後、フィルム１０を搬送しつつ、図１（ａ）に示す硬化室７において、エネルギー線射出装置９からエネルギー線９１を射出してフィルム１０上の有機化合物モノマー層３８を硬化させ、高分子有機化合物層３９を形成する（図３（ａ）（ｂ）参照）。
最後に、フィルム繰出巻取室４内においてフィルム１０に対して除電を行い、巻取ローラ４２によってフィルム１０を巻き取る。
【００４９】
以上述べた本実施の形態においては、蒸気放出装置８の蒸気放出部８２から有機化合物モノマーの蒸気３７を放出して中央ローラ３上のフィルム１０に吹き付ける際に、蒸気放出装置８内の圧力が成膜室６内の圧力より大きく、かつ、蒸気放出装置８内の圧力と成膜室６内の圧力との差が一定になるように真空排気することから、中央ローラ３によって搬送されるフィルム１０上において膜厚の均一な有機化合物モノマー層３８を形成することができる。
【００５０】
その結果、本実施の形態によれば、膜厚が均一に形成された有機化合物モノマー層３８に対してエネルギー線９１を照射して重合させ硬化させることによって、均一な膜厚の高分子有機化合物層３９を形成することができる。
【００５１】
また、本実施の形態では、所定温度に制御された希ガスの流量をマスフローコントローラ３６によって制御して蒸気放出装置８に供給することから、容易に蒸気放出装置８内の圧力を成膜室６内の圧力より大きくすることができ、これにより蒸気放出装置８と成膜室６の圧力差を大きくして成膜速度を向上させることができる。
【００５２】
さらに、本実施の形態では、真空槽２内に、エネルギー線射出装置９が配置される硬化室７と、硬化室７及び成膜室６と連通されたバッファ室５とが設けられ、硬化室７及びバッファ室５が、独立して制御可能な第４及び第２真空排気装置７０、５０にそれぞれ接続されていることから、蒸気放出装置８及び成膜室６間のみならず、成膜室６、バッファ室５、硬化室７間において圧力差の大きい差動排気を行うことができ、これにより各室の圧力差をより大きくして成膜速度を向上させることができる。
【００５３】
さらにまた、本実施の形態では、気化器２３の第１〜第４気化部材２４Ａ〜２４Ｄが、独立して制御可能な媒体循環方式による第３〜第６温度調整手段２６〜２９にそれぞれ接続されていることから、種々の気化温度の有機化合物モノマー３３に対して最適の条件で気化させることができる。
【００５４】
さらにまた、本実施の形態では、第１〜第４気化部材２４Ａ〜２４Ｄの傾斜角度をそれぞれ変更調整できるように構成されていることから、種々の粘度の有機化合物モノマー３３に対して最適の条件で搬送し且つ受け渡して気化させることができる。
【００５５】
加えて、本実施の形態では、成膜の際に、バッファ室５の圧力よりフィルム繰出巻取室４の圧力が大きくなるように第１及び第２真空排気装置４０、５０を動作させることから、バッファ室５からフィルム繰出巻取室４への有機化合物モノマーの蒸気３７の回り込みを防止することができる。
【００５６】
なお、本発明は上述した実施の形態に限られず、種々の変更を行うことができる。
例えば、蒸気放出装置の気化器については、上記実施の形態のものに限られず、低分子の有機化合物を気化できるものであれば、種々のタイプのものを用いることができる。
【００５７】
ただし、上記実施の形態のものを用いれば、種々の気化温度の有機化合物に対して最適の条件で気化させることができるとともに、種々の粘度の有機化合物に対して最適の条件で搬送し且つ受け渡して気化させることができる。
【００５８】
また、本発明において膜の原料となる有機化合物の種類は、特に限定されることはなく、種々の有機化合物に適用することができる。
さらに、成膜対象物であるフィルムの種類、厚さ等についても、特に限定されることはなく、種々のフィルムに適用することができる。
【符号の説明】
【００５９】
１…成膜装置
２…真空槽
３…中央ローラ
４…フィルム繰出巻取室
５…バッファ室
６…成膜室
７…硬化室
８…蒸気放出装置
１０…フィルム
１８…制御部
１９…第１温度調整手段
２０…圧力計
２１…成膜圧力計
２２…有機化合物導入部
２２ａ…分散器
２３…気化器
２４Ａ、２４Ｂ、２４Ｃ、２４Ｄ…第１〜第４気化部材
２６、２７、２８、２９…第３〜第６温度調整手段
３０…モノマー供給源
３３…有機化合物モノマー
３５…希ガス供給源
３６…マスフローコントローラ
３７…有機化合物モノマーの蒸気
４０、５０、６０、７０、８０…第１〜第５真空排気装置
４１…原反ロール
８１…気化部
８２…蒸気放出部
８５…蒸気放出口
Ｏ1、Ｏ2…回転軸線 
【図１】
2014002773.tif 000003
【図２】
2014002773.tif 000004
【図３】
2014002773.tif 000005
【手続補正書】
【提出日】平成27年2月6日(2015.2.6)
【手続補正１】
【補正対象書類名】明細書
【補正対象項目名】０００８
【補正方法】変更
【補正の内容】
【０００８】
本発明にあっては、蒸気放出装置の蒸気放出部から有機化合物の蒸気を放出して中央ローラ上のフィルムに吹き付ける際に、蒸気放出装置内の圧力が成膜室内の圧力より大きく、かつ、蒸気放出装置内の圧力と成膜室内の圧力との差が一定になるように真空排気することから、中央ローラによって搬送されるフィルム上において膜厚の均一な有機化合物層を形成することができる。
その結果、本発明によれば、膜厚が均一に形成された有機化合物層に対してエネルギー線を照射して重合させ硬化させることによって、均一な膜厚の高分子有機化合物膜を形成することができる。
本発明において、所定温度に制御された希ガスの流量を制御して蒸気放出装置に供給するように構成されている場合には、容易に蒸気放出装置内の圧力を成膜室内の圧力より大きくすることができるので、蒸気放出装置と成膜室の圧力差を大きくして成膜速度を向上させることができる。
また、本発明において、真空槽内に、エネルギー線射出装置が配置される硬化室と、硬化室及び成膜室に連通されたバッファ室とが設けられ、硬化室及びバッファ室が、独立して制御可能な真空排気装置にそれぞれ接続されている場合には、蒸気放出装置及び成膜室間のみならず、成膜室、バッファ室、硬化室間において圧力差の大きい差動排気を行うことができるので、各室の圧力差をより大きくして成膜速度を向上させることができる。
【手続補正２】
【補正対象書類名】明細書
【補正対象項目名】００２５
【補正方法】変更
【補正の内容】
【００２５】
一方、気化部８１には、気化部８１内の圧力を測定する圧力計２０が設けられ、この圧力計２０は、コンピュータ等を有する制御部１８に対し、測定した圧力情報を送出するように構成されている（図１（ｂ）参照）。
【手続補正書】
【提出日】平成27年5月12日(2015.5.12)
【手続補正１】
【補正対象書類名】明細書
【補正対象項目名】０００７
【補正方法】変更
【補正の内容】
【０００７】
上記目的を達成するためになされた本発明は、真空槽内において、原反ロールから繰り出されたフィルムを中央ローラと接触しつつ搬送し、当該フィルム上において有機化合物膜を形成する成膜装置であって、前記真空槽内に設けられた成膜室内に配置され、有機化合物の蒸気を放出して前記中央ローラ上のフィルムに吹き付ける蒸気放出部を有する蒸気放出装置と、前記中央ローラ上のフィルム上に形成された有機化合物層に対してエネルギー線を照射して当該有機化合物層を硬化させることで前記有機化合物膜を形成するエネルギー線射出装置とを有し、前記蒸気放出装置及び前記成膜室が、独立して制御可能な真空排気装置にそれぞれ接続されるとともに、前記蒸気放出装置内の圧力が前記成膜室内の圧力より大きく、かつ、前記蒸気放出装置内の圧力と前記成膜室内の圧力との差が一定になるように真空排気するものである。
本発明では、所定温度に制御された希ガスの流量を制御して前記蒸気放出装置に供給するように構成されている場合にも効果的である。
本発明では、前記真空槽内に、前記エネルギー線射出装置が配置される硬化室と、前記硬化室及び前記成膜室に連通されたバッファ室とが設けられ、前記硬化室及び前記バッファ室が、独立して制御可能な真空排気装置にそれぞれ接続されている場合にも効果的である。
【手続補正２】
【補正対象書類名】明細書
【補正対象項目名】００４８
【補正方法】変更
【補正の内容】
【００４８】
その後、フィルム１０を搬送しつつ、図１（ａ）に示す硬化室７において、エネルギー線射出装置９からエネルギー線９１を射出してフィルム１０上の有機化合物モノマー層３８を硬化させ、高分子有機化合物膜３９を形成する（図３（ａ）（ｂ）参照）。
最後に、フィルム繰出巻取室４内においてフィルム１０に対して除電を行い、巻取ローラ４２によってフィルム１０を巻き取る。
【手続補正３】
【補正対象書類名】明細書
【補正対象項目名】００５０
【補正方法】変更
【補正の内容】
【００５０】
その結果、本実施の形態によれば、膜厚が均一に形成された有機化合物モノマー層３８に対してエネルギー線９１を照射して重合させ硬化させることによって、均一な膜厚の高分子有機化合物膜３９を形成することができる。
【手続補正４】
【補正対象書類名】特許請求の範囲
【補正対象項目名】全文
【補正方法】変更
【補正の内容】
【特許請求の範囲】
【請求項１】
真空槽内において、原反ロールから繰り出されたフィルムを中央ローラと接触しつつ搬送し、当該フィルム上において有機化合物膜を形成する成膜装置であって、
前記真空槽内に設けられた成膜室内に配置され、有機化合物の蒸気を放出して前記中央ローラ上のフィルムに吹き付ける蒸気放出部を有する蒸気放出装置と、
前記中央ローラ上のフィルム上に形成された有機化合物層に対してエネルギー線を照射して当該有機化合物層を硬化させることで前記有機化合物膜を形成するエネルギー線射出装置とを有し、
前記蒸気放出装置及び前記成膜室が、独立して制御可能な真空排気装置にそれぞれ接続されるとともに、
前記蒸気放出装置内の圧力が前記成膜室内の圧力より大きく、かつ、前記蒸気放出装置内の圧力と前記成膜室内の圧力との差が一定になるように真空排気する成膜装置。
【請求項２】
所定温度に制御された希ガスの流量を制御して前記蒸気放出装置に供給するように構成されている請求項１記載の成膜装置。
【請求項３】
前記真空槽内に、前記エネルギー線射出装置が配置される硬化室と、前記硬化室及び前記成膜室に連通されたバッファ室とが設けられ、前記硬化室及び前記バッファ室が、独立して制御可能な真空排気装置にそれぞれ接続されている請求項１又は２のいずれか１項記載の成膜装置。
【国際調査報告】
2014002773.tif 000006
2014002773.tif 000007
2014002773.tif 000008
2014002773.tif 000009